(57)【要約】【課題】多数の放送番組素材を簡単な操作でかつ短時間にプレビュー可能とする。【解決手段】サーバ制御装置１８は、プレビュー指示に応じて、オンエア番組情報とその管理情報を取得し、管理情報から番組記録領域のＩＮ／ＯＵＴ点、収録時間を求め、ＩＮ点後、収録時間中央、ＯＵＴ点前の３点の再生箇所を特定し、番組サーバ１１にオンエア番組を指定し、再生箇所を一定期間再生する。再生データはデコーダ１４によってビデオ信号に変換され、スイッチャー１５を介してモニタディスプレイ１７に送られ、表示される。再生箇所の切替期間では、スイッチャー１５にＣＢ信号を選択させ、カラーバーを表示させる。このように自動的にオンエア番組の所定箇所が順次再生されるため、オペレータは簡単にプレビューを行うことが可能となる。また、再生箇所の切替時のカラーバー表示により、データ欠落との混同をなくすことができる。【選択図】      図１
2005244713.tif 000002
【特許請求の範囲】
【請求項１】
予めオンエア用放送番組の素材データを格納する番組サーバと、
前記番組サーバから再生される素材データをビデオ信号にデコードするデコーダと、
前記ビデオ信号をモニタ表示する表示装置と、
前記番組サーバの記録・再生を制御するサーバ制御装置と、
前記サーバ制御装置にオンエア番組のプレビュー処理を指示する操作端末とを具備し、
前記サーバ制御装置は、前記操作端末からのプレビュー処理指示入力に従ってオンエア番組情報とその番組管理情報に含まれる記録領域の開始位置と終了位置、収録時間の情報を取得し、少なくとも開始位置後、終了位置前の一定期間を再生箇所として指定して前記番組サーバからオンエア番組を順次再生させ、前記表示装置にモニタ表示させるプレビュー機能を有することを特徴とする放送番組送出システム。
【請求項２】
さらに、前記再生箇所に前記収録時間の１または複数箇所を含めることを特徴とする請求項１記載の放送番組送出システム。
【請求項３】
さらに、前記再生箇所の切替期間中に所定の映像を挿入し表示させることを特徴とする請求項１記載の放送番組送出システム。
【請求項４】
前記所定の映像はカラーバーまたはテキストであることを特徴とする請求項３記載の放送番組送出システム。
【請求項５】
前記再生箇所、再生時間を指定する指定手段を備えることを特徴とする請求項１記載の放送番組送出システム。
【請求項６】
予めオンエア用放送番組の素材データを格納する番組サーバと、前記番組サーバから再生される素材データをビデオ信号にデコードするデコーダと、前記ビデオ信号をモニタ表示する表示装置と、前記番組サーバの記録・再生を制御するサーバ制御装置と、前記サーバ制御装置にオンエア番組のプレビュー処理を指示する操作端末とを備える放送番組送出システムに用いられ、
前記プレビュー処理の指示入力に従って、オンエア番組情報とその番組管理情報に含まれる記録領域の開始位置と終了位置、収録時間の情報を取得する第１ステップと、
前記第１ステップ取得情報から少なくとも開始位置後、終了位置前の一定期間を再生箇所として特定する第２ステップと、
前記再生箇所を指定して前記番組サーバからオンエア番組を順次再生させ、前記表示装置にモニタ表示させる第３ステップとを備えることを特徴とする放送番組送出システムのプレビュー処理方法。
【請求項７】
前記第２ステップは、さらに前記再生箇所に前記収録時間の１または複数箇所を含めることを特徴とする請求項６記載の放送番組送出システムのプレビュー処理方法。
【請求項８】
さらに、前記再生箇所の切替期間中に所定の映像を挿入し表示させる第６ステップを備えることを特徴とする請求項６記載の放送番組送出システムのプレビュー処理方法。
【請求項９】
前記所定の映像はカラーバーまたはテキストであることを特徴とする請求項８記載の放送番組送出システムのプレビュー処理方法。
【請求項１０】
前記第２ステップは、前記再生箇所、再生時間の指定入力に応じて前記再生箇所、再生時間を変更することを特徴とする請求項６記載の放送番組送出システムのプレビュー処理方法。
【発明の詳細な説明】
【技術分野】
【０００１】
本発明は、放送番組の送出素材を格納する放送番組送出システムに係り、特にサーバに格納された素材の内容を確認するためのプレビュー処理方法に関する。
【背景技術】
【０００２】
従来より、放送番組送出システムにあっては、放送番組の送出素材を予めサーバに格納しておき、自動番組送出装置（ＡＰＣ）からの指示に従って該当する素材を再生し、オンエアを行うようになっている。このようなオンエア処理において、通常、オンエア前にオンエア順序に従った素材の確認作業が行われている（特許文献１参照）。
【０００３】
ところが、この素材確認作業は、オペレータがサーバから順次オンエア素材を読み出し、早送り再生、飛び越し再生によってプレビューを行っており、煩雑な作業が強いられている。
【０００４】
【特許文献１】特願２００２−２０１１２５号
【発明の開示】
【発明が解決しようとする課題】
【０００５】
以上述べたように、従来の放送番組送出システムでは、オンエア確認等で多数の放送番組素材をプレビューする機能がオペレータの操作に委ねられており、オペレータにとっては煩雑な作業が強いられている。
本発明は上記の事情に鑑みてなされたもので、多数の放送番組素材を簡単な操作でかつ短時間にプレビューすることのできる放送番組送出システムとそのプレビュー処理方法を提供することを目的とする。
【課題を解決するための手段】
【０００６】
上記目的を達成するために本発明に係る放送番組送出システムは、予めオンエア用放送番組の素材データを格納する番組サーバと、前記番組サーバから再生される素材データをビデオ信号にデコードするデコーダと、前記ビデオ信号をモニタ表示する表示装置と、前記番組サーバの記録・再生を制御するサーバ制御装置と、前記サーバ制御装置にオンエア番組のプレビュー処理を指示する操作端末とを具備している。
【０００７】
そのプレビュー処理方法としては、前記サーバ制御装置において、前記操作端末からのプレビュー処理指示入力に従ってオンエア番組情報とその番組管理情報に含まれる記録領域の開始位置と終了位置、収録時間の情報を取得し、少なくとも開始位置後、終了位置前の一定期間を再生箇所として指定して前記番組サーバからオンエア番組を順次再生させ、前記表示装置にモニタ表示させるようにしたものである。
【発明の効果】
【０００８】
本発明によれば、多数の放送番組素材を簡単な操作でかつ短時間にプレビューすることのできる放送番組送出システムとそのプレビュー処理方法を提供することができる。
【発明を実施するための最良の形態】
【０００９】
以下、図面を参照して本発明の一実施形態を詳細に説明する。
図１は本発明に係る実施形態とする放送番組送出システムの構成を示すブロック図である。図１において、番組サーバ１１は予めオンエア用放送番組の素材データ（通称ロールデータ）を格納しておくもので、バス１２を通じてＡＰＣ１３から与えられるオンエア指示信号に応じて、該当するロールデータを選択的に再生する。この再生データは、デコーダ１４によりビデオ信号にデコードされてスイッチャー１５に導かれ、選択的にオンエア出力される。
【００１０】
また、上記スイッチャー１５は、デコーダ１４からのビデオ信号の他、ＣＢ（カラーバー）発生器１６からのＣＢ信号を入力し、切替制御信号に応じて選択的にモニタディスプレイ１７に導出可能となされている。
一方、サーバ制御装置１８は、操作端末１９の操作入力指示に従い、上記番組サーバ１１のロールデータの書き込み／読み出し制御を行うものであるが、このサーバ制御装置１８は、特に本発明に係るプレビュー機能を搭載する。
【００１１】
上記構成において、以下に上記プレビュー機能の処理について説明する。
図２は、サーバ制御装置１８に搭載されるプレビュー機能の処理手順を示すフローチャートである。まず、操作端末１９からのプレビュー指示入力を判断し（ステップＳ１）、指示入力があった場合には、ＡＰＣ１３から、現時点からオンエア開始前までの番組情報を取得する（ステップＳ２）。
【００１２】
続いて、取得された番組情報それぞれの管理情報を番組サーバ１１から取得し（ステップＳ３）、その管理情報からロールデータ記録領域のＩＮ／ＯＵＴ点、収録時間を求め（ステップＳ４）、再生箇所を特定する（ステップＳ５）。再生箇所としては、例えばＩＮ点から２秒、収録時間中央の２秒、ＯＵＴ点前２秒の３点とする。この再生箇所の特定は、上記の例を初期設定とし、中間部再生箇所の指定、再生時間を指示入力可能とし、オペレータが任意に選択できるようにしてもよい。但し、ＩＮ点とＯＵＴ点の２点再生は必ず実行されるものとする。
【００１３】
次に、番組サーバ１１にオンエアの番組順にロールデータを指定し、再生箇所を読み出させる（ステップＳ６）。再生データはデコーダ１４によってビデオ信号に変換され、スイッチャー１５を介してモニタディスプレイ１７に送られ、表示される。
ここで、再生箇所の切替時には、短時間ではあるが信号が途切れ、表示が中断されるため、オペレータがデータ欠落と混同してしまう畏れがある。そこで、再生切替期間を判断し（ステップＳ７）、その期間はスイッチャー１５に対してＣＢ信号選択を指示し、カラーバーがモニタ表示されるようにする（ステップＳ８）。以上のプレビュー再生を全番組について繰り返し実行し、全番組の実行が完了した場合には、プレビュー処理を終了する（ステップＳ９）。
【００１４】
図３にプレビュー再生例を示す。番組サーバ１１に、図３（ａ）に示すように番組Ａ，Ｂのロールデータが格納されており、オンエア番組として番組Ａ、番組Ｂの順にスケジューリングされている場合、プレビュー再生は図３（ｂ）に示すように各番組Ａ，ＢのＩＮ点から２秒（Ａ−１，Ｂ−１）、中央から２秒（Ａ−２，Ｂ−２）、ＯＵＴ点前２秒（Ａ−３，Ｂ−３）がカラーバーＣＢを挟んで再生される。
【００１５】
以上説明した本発明によるプレビュー処理によれば、自動的にあるいはオペレータの指定に従ってオンエア番組の所定箇所が順次再生されるため、オペレータがオンエア番組を指定して早送り再生、スキップ再生を操作することなく、簡単にプレビューによるモニタリングを行うことが可能となる。また、再生箇所の切替時にカラーバーが表示されるため、オペレータがデータ欠落と混同する畏れをなくすことができる。
【００１６】
尚、本発明は上記実施形態に限定されるものではなく、例えば番組サーバが複数ある場合でも同様に実施可能である。また切替時にはカラーバーに限らず、例えば「切替中」等のテキスト表示や所定の静止画像を表示するようにしてもよい。
【図面の簡単な説明】
【００１７】
【図１】本発明に係る実施形態とする放送番組送出システムの構成を示すブロック図。
【図２】上記実施形態のプレビュー機能の処理手順を示すフローチャート。
【図３】上記実施形態のプレビュー再生例を示すタイミング図。
【符号の説明】
【００１８】
１１…番組サーバ、１２…バス、１３…ＡＰＣ、１４…デコーダ、１５…スイッチャー、１６…ＣＢ発生器、１７…モニタディスプレイ、１８…サーバ制御装置、１９…操作端末。
【図１】
2005244713.tif 000003
【図２】
2005244713.tif 000004
【図３】
2005244713.tif 000005